(57)【要約】【課題】医療者が右手で鉗子を使用する場合であっても、左手で鉗子を使用する場合であっても、鉗子の係止解除を容易に行う。【解決手段】鉗子１の第１アーム３では、第１係止部３５は、第１柄部３１から第２アーム４に向かって左右方向に突出する。第２アーム４では、第２係止部４５は、第２柄部４１から第１アーム３に向かって左右方向に突出する。第１係止部３５は、第１柄部３１から第２柄部４１に向かって左右方向に突出する第１凹凸部３５１を備える。第２係止部４５は、第１凹凸部３５１よりも前側にて第２柄部４１から第１柄部３１に向かって左右方向に突出する第２凹凸部４５１を備える。これにより、医療者が鉗子１を右手で使用する場合であっても、左手で使用する場合であっても、鉗子１の係止解除を容易に行うことができる。【選択図】図１
2020092880.tif 000002
【特許請求の範囲】
【請求項１】
鉗子であって、
第１アームと、
前記第１アームと交差する第２アームと、
前記第１アームと前記第２アームとの交差位置にて前記第１アームと前記第２アームとを回転自在に連結する軸部と、
を備え、
前記第１アームは、
前記軸部から後方に延びる第１柄部と、
前記第１柄部の後端に接続される第１指孔部と、
前記軸部から前方に延びる第１挟持部と、
前記第１柄部から前記第２アームに向かって左右方向に突出する第１係止部と、
を備え、
前記第２アームは、
前記軸部から後方に延びる第２柄部と、
前記第２柄部の後端に接続される第２指孔部と、
前記軸部から前方に延びる第２挟持部と、
前記第２柄部から前記第１アームに向かって左右方向に突出する第２係止部と、
を備え、
前記第１係止部は、前記第１柄部から前記第２柄部に向かって左右方向に突出するとともに前側の面に左右方向に並ぶ凹凸が設けられた第１凹凸部を備え、
前記第２係止部は、前記第１凹凸部よりも前側にて前記第２柄部から前記第１柄部に向かって左右方向に突出するとともに後側の面に左右方向に並ぶ凹凸が設けられた第２凹凸部を備えることを特徴とする鉗子。
【請求項２】
請求項１に記載の鉗子であって、
前記第１凹凸部の前記前側の面には、左右方向に並ぶ複数の凹凸が設けられ、
前記第２凹凸部の前記後側の面には、左右方向に並ぶ複数の凹凸が設けられることを特徴とする鉗子。
【請求項３】
請求項２に記載の鉗子であって、
前記第１凹凸部の前記複数の凹凸は、複数の第１表鋸面と複数の第１裏鋸面とが左右方向に交互に配列された鋸歯状であり、
各第１表鋸面は、前方に向かうに従って左右方向において前記第２柄部から離れる方向に延び、
各第１裏鋸面は、隣接する第１表鋸面の前端から後方に向かって延び、
前記各第１表鋸面が前記第１柄部の延びる方向である第１長手方向と成す角度は、前記各第１裏鋸面が前記第１長手方向と成す角度よりも大きく、
前記第２凹凸部の前記複数の凹凸は、複数の第２表鋸面と複数の第２裏鋸面とが左右方向に交互に配列された鋸歯状であり、
各第２表鋸面は、後方に向かうに従って左右方向において前記第１柄部から離れる方向に延び、
各第２裏鋸面は、隣接する第２表鋸面の後端から前方に向かって延び、
前記各第２表鋸面が前記第２柄部の延びる方向である第２長手方向と成す角度は、前記各第２裏鋸面が前記第２長手方向と成す角度よりも大きいことを特徴とする鉗子。
【請求項４】
請求項１ないし３のいずれか１つに記載の鉗子であって、
前記第１凹凸部および前記第２凹凸部は、後方に凸となるように湾曲していることを特徴とする鉗子。
【請求項５】
請求項１ないし４のいずれか１つに記載の鉗子であって、
前記第１係止部は、前記第１凹凸部および前記第２凹凸部よりも前側にて前記第１柄部から前記第２柄部に向かって左右方向に突出する第１押さえ部をさらに備え、
前記第２係止部は、前記第１凹凸部および前記第２凹凸部よりも後側にて前記第２柄部から前記第１柄部に向かって左右方向に突出する第２押さえ部をさらに備え、
前記第１柄部と前記第２柄部とが左右方向において近づく際に、前記第１押さえ部の後側の面と前記第２凹凸部の前側の面とが左右方向に摺動して、前記第２凹凸部が前記第１凹凸部と前記第１押さえ部との間に挟み込まれ、前記第２押さえ部の前側の面と前記第１凹凸部の後側の面とが左右方向に摺動して、前記第１凹凸部が前記第２凹凸部と前記第２押さえ部との間に挟み込まれることを特徴とする鉗子。
【請求項６】
請求項５に記載の鉗子であって、
前記第１押さえ部の自由端部は、前方へと湾曲しており、
前記第２押さえ部の自由端部は、後方へと湾曲していることを特徴とする鉗子。
【請求項７】
請求項１ないし６のいずれか１つに記載の鉗子であって、
前記第１アームは、前記軸部と前記第１係止部との間にて前記第１柄部に設けられる第１重複部をさらに備え、
前記第２アームは、前記軸部と前記第２係止部との間にて前記第２柄部に設けられる第２重複部をさらに備え、
前記第１柄部と前記第２柄部とが係止された状態で、前記第１重複部と前記第２重複部とが上下方向に重なることを特徴とする鉗子。
【請求項８】
請求項７に記載の鉗子であって、
前記第１重複部は、前記第１柄部から前記第２柄部に向かって左右方向に突出しており、
前記第２重複部は、前記第２柄部から前記第１柄部に向かって左右方向に突出しており、
前記第１柄部と前記第２柄部とが係止された状態で、前記第１重複部および前記第２重複部のうち一方が、他方により上下から挟まれていることを特徴とする鉗子。
【請求項９】
使い捨て医療用品セットであって、
請求項１ないし８のいずれか１つに記載の鉗子を含むことを特徴とする使い捨て医療用品セット。
【発明の詳細な説明】
【技術分野】
【０００１】
本発明は、鉗子および使い捨て医療用品セットに関する。
【背景技術】
【０００２】
従来、外科手術等の際に、組織の止血や組織把持、切開部およびその周囲の消毒等に、様々な種類の鉗子が使用されている。例えば、特許文献１に記載された鉗子は、枢軸を介して互いに連結され、その枢軸回りに揺動自在な第１のアームと第２のアームとを有する。当該鉗子の各アームには、枢軸から一方側に延びる圧坐部と、枢軸から他方側に延びる柄部の後端に圧坐部を開閉操作するための指環部とが設けられている。
【０００３】
上記鉗子は、各アームが枢軸の軸方向（すなわち、上下方向）に捻れることを防止するために、第１のアームおよび第２のアームの柄部側面から突出する一対の摺接部を備えている。一対の摺接部は、柄部と指環部との接続部に配置され、柄部が閉じられる際に上下に重なる。一対の摺接部の摺接面には、柄部が閉じられる際に互いに係合するラチェット部が形成されている。これにより、圧坐部の間隔が、任意の距離に固定される。
【先行技術文献】
【特許文献】
【０００４】
【特許文献１】特許第５３２８４２１号公報
【発明の概要】
【発明が解決しようとする課題】
【０００５】
ところで、特許文献１の鉗子を一旦閉じた後に再度開く場合、上述のラチェット部の係合を解除する必要がある。このため、鉗子を使用する医療者は、親指が通されている指環部を下方へと押し下げ、中指が通されている指環部を上方へと持ち上げることにより、一対の摺接部を上下に離間させる必要がある。なお、親指が通されている指環部を上方へと持ち上げ、中指が通されている指環部を下方へと押し下げて、一対の摺接部を上下に離間させようとすると、手に負担が掛かり難しい。
【０００６】
したがって、当該鉗子では、中指が通される指環部近傍から突出している摺接部が上側に位置し、親指の通される指環部近傍から突出している摺接部は下側に位置している。その結果、右利き用の鉗子と、左利き用の鉗子とで、一対の摺接部の上下関係は左右反対になる。なお、右利き用の鉗子を左手で使用する場合、あるいは、左利き用の鉗子を右手で使用する場合、上述のように、手に負担が掛かるため鉗子の係止解除を容易に行うことができない。
【０００７】
本発明は、上記課題に鑑みなされたものであり、医療者が右手で鉗子を使用する場合であっても、左手で鉗子を使用する場合であっても、鉗子の係止解除を容易に行うことを目的としている。
【課題を解決するための手段】
【０００８】
請求項１に記載の発明は、鉗子であって、第１アームと、前記第１アームと交差する第２アームと、前記第１アームと前記第２アームとの交差位置にて前記第１アームと前記第２アームとを回転自在に連結する軸部とを備え、前記第１アームは、前記軸部から後方に延びる第１柄部と、前記第１柄部の後端に接続される第１指孔部と、前記軸部から前方に延びる第１挟持部と、前記第１柄部から前記第２アームに向かって左右方向に突出する第１係止部とを備え、前記第２アームは、前記軸部から後方に延びる第２柄部と、前記第２柄部の後端に接続される第２指孔部と、前記軸部から前方に延びる第２挟持部と、前記第２柄部から前記第１アームに向かって左右方向に突出する第２係止部とを備え、前記第１係止部は、前記第１柄部から前記第２柄部に向かって左右方向に突出するとともに前側の面に左右方向に並ぶ凹凸が設けられた第１凹凸部を備え、前記第２係止部は、前記第１凹凸部よりも前側にて前記第２柄部から前記第１柄部に向かって左右方向に突出するとともに後側の面に左右方向に並ぶ凹凸が設けられた第２凹凸部を備える。
【０００９】
請求項２に記載の発明は、請求項１に記載の鉗子であって、前記第１凹凸部の前記前側の面には、左右方向に並ぶ複数の凹凸が設けられ、前記第２凹凸部の前記後側の面には、左右方向に並ぶ複数の凹凸が設けられる。
【００１０】
請求項３に記載の発明は、請求項２に記載の鉗子であって、前記第１凹凸部の前記複数の凹凸は、複数の第１表鋸面と複数の第１裏鋸面とが左右方向に交互に配列された鋸歯状であり、各第１表鋸面は、前方に向かうに従って左右方向において前記第２柄部から離れる方向に延び、各第１裏鋸面は、隣接する第１表鋸面の前端から後方に向かって延び、前記各第１表鋸面が前記第１柄部の延びる方向である第１長手方向と成す角度は、前記各第１裏鋸面が前記第１長手方向と成す角度よりも大きく、前記第２凹凸部の前記複数の凹凸は、複数の第２表鋸面と複数の第２裏鋸面とが左右方向に交互に配列された鋸歯状であり、各第２表鋸面は、後方に向かうに従って左右方向において前記第１柄部から離れる方向に延び、各第２裏鋸面は、隣接する第２表鋸面の後端から前方に向かって延び、前記各第２表鋸面が前記第２柄部の延びる方向である第２長手方向と成す角度は、前記各第２裏鋸面が前記第２長手方向と成す角度よりも大きい。
【００１１】
請求項４に記載の発明は、請求項１ないし３のいずれか１つに記載の鉗子であって、前記第１凹凸部および前記第２凹凸部は、後方に凸となるように湾曲している。
【００１２】
請求項５に記載の発明は、請求項１ないし４のいずれか１つに記載の鉗子であって、前記第１係止部は、前記第１凹凸部および前記第２凹凸部よりも前側にて前記第１柄部から前記第２柄部に向かって左右方向に突出する第１押さえ部をさらに備え、前記第２係止部は、前記第１凹凸部および前記第２凹凸部よりも後側にて前記第２柄部から前記第１柄部に向かって左右方向に突出する第２押さえ部をさらに備え、前記第１柄部と前記第２柄部とが左右方向において近づく際に、前記第１押さえ部の後側の面と前記第２凹凸部の前側の面とが左右方向に摺動して、前記第２凹凸部が前記第１凹凸部と前記第１押さえ部との間に挟み込まれ、前記第２押さえ部の前側の面と前記第１凹凸部の後側の面とが左右方向に摺動して、前記第１凹凸部が前記第２凹凸部と前記第２押さえ部との間に挟み込まれる。
【００１３】
請求項６に記載の発明は、請求項５に記載の鉗子であって、前記第１押さえ部の自由端部は、前方へと湾曲しており、前記第２押さえ部の自由端部は、後方へと湾曲している。
【００１４】
請求項７に記載の発明は、請求項１ないし６のいずれか１つに記載の鉗子であって、前記第１アームは、前記軸部と前記第１係止部との間にて前記第１柄部に設けられる第１重複部をさらに備え、前記第２アームは、前記軸部と前記第２係止部との間にて前記第２柄部に設けられる第２重複部をさらに備え、前記第１柄部と前記第２柄部とが係止された状態で、前記第１重複部と前記第２重複部とが上下方向に重なる。
【００１５】
請求項８に記載の発明は、請求項７に記載の鉗子であって、前記第１重複部は、前記第１柄部から前記第２柄部に向かって左右方向に突出しており、前記第２重複部は、前記第２柄部から前記第１柄部に向かって左右方向に突出しており、前記第１柄部と前記第２柄部とが係止された状態で、前記第１重複部および前記第２重複部のうち一方が、他方により上下から挟まれている。
【００１６】
請求項９に記載の発明は、使い捨て医療用品セットであって、請求項１ないし８のいずれか１つに記載の鉗子を含む。
【発明の効果】
【００１７】
本発明では、医療者が右手で鉗子を使用する場合であっても、左手で鉗子を使用する場合であっても、鉗子の係止解除を容易に行うことができる。
【図面の簡単な説明】
【００１８】
【図１】一の実施の形態に係る鉗子の平面図である。
【図２】鉗子の右側面図である。
【図３】第１係止部および第２係止部近傍を拡大して示す平面図である。
【図４】鉗子の平面図である。
【図５】第１係止部および第２係止部近傍を拡大して示す平面図である。
【図６】使い捨て医療用品セットの平面図である。
【発明を実施するための形態】
【００１９】
図１は、本発明の一の実施の形態に係る医療用の鉗子１の構成を示す平面図である。図２は、鉗子１の右側面図である。図３は、鉗子１の後述する第１係止部３５および第２係止部４５近傍を拡大して示す平面図である。図４は、第１係止部３５および第２係止部４５による係止が解除された状態の鉗子１を示す平面図である。図５は、図４の第１係止部３５および第２係止部４５近傍を拡大して示す平面図である。図６は、使い捨て医療用品セット６を示す平面図である。
【００２０】
鉗子１は、主に樹脂により形成された使い捨て鉗子である。鉗子１は、例えば、外科手術等の際に術野の消毒等に使用される消毒用鉗子である。図６に示すように、鉗子１は、医療処置の内容に合わせて用意された複数の使い捨ての医療用品のセットである使い捨て医療用品セット６に含まれている。使い捨て医療用品セット６では、鉗子１および他の医療用品（例えば、ドレープ等）が、平面視において略矩形状のトレイ６１に収容された状態で、図示省略の包装部材により梱包されている。
【００２１】
鉗子１は、第１アーム３と、第２アーム４と、軸部５とを備える。第１アーム３および第２アーム４は、鉗子１の長手方向に延びる略棒状の樹脂製の部材である。第１アーム３および第２アーム４は、例えば、射出成形により形成される。第１アーム３と第２アーム４とは、略同形状である。第２アーム４は、第１アーム３と交差する。図１に示す例では、第１アーム３と第２アーム４との交差位置において、第２アーム４が第１アーム３の上側に位置する。
【００２２】
軸部５は、第１アーム３と第２アーム４との交差位置にて、第１アーム３と第２アーム４とを回転自在に連結する。軸部５は、例えば、金属製のリベットである。以下の説明では、鉗子１の長手方向（すなわち、図１中の左右方向）を「前後方向」とも呼ぶ。また、鉗子１のうち医療者の手元側（すなわち、図１中の左側）を「後側」と呼び、医療者の手元から離れている側（すなわち、図１中の右側）を「前側」と呼ぶ。さらに、軸部５が向く方向である軸方向（すなわち、図１中の紙面に垂直な方向）を「上下方向」とも呼ぶ。
【００２３】
第１アーム３は、第１柄部３１と、第１指孔部３２と、第１挟持部３３と、第１先端部３４と、第１係止部３５と、第１重複部３６とを備える。第１柄部３１、第１指孔部３２、第１挟持部３３、第１先端部３４、第１係止部３５および第１重複部３６は、好ましくは一繋がりの部材である。鉗子１の長手方向の全長（すなわち、図１における第１指孔部３２の後端から、第１先端部３４の前端に至る前後方向の長さ）は、例えば１５ｃｍ〜２６ｃｍであり、好ましくは１７ｃｍ〜２４ｃｍであり、より好ましくは１８ｃｍ〜２３ｃｍである。
【００２４】
第１柄部３１は、軸部５から後方（すなわち、鉗子１を使用する医療者の手元側）に延びる略棒状の部位である。第１指孔部３２は、第１柄部３１の後端に接続される環状の部位である。第１指孔部３２には、医療者の指が上側から挿入される挿入孔３２１が設けられる。第１挟持部３３は、軸部５から前方（すなわち、医療者の手元から離れる方向）に延びる略棒状の部位である。第１先端部３４は、第１挟持部３３の前端に接続される部位である。図２に示す例では、第１先端部３４は略楕円環状の部位である。第１先端部３４は、後述する第２先端部４４と共に、消毒用の綿球等に直接的に接触して挟持する。
【００２５】
第１係止部３５は、第１柄部３１の側面から第２アーム４の後述する第２柄部４１に向かって左右方向に突出する。第１係止部３５は、後述する第２係止部４５と係合することにより、第１アーム３および第２アーム４が開く方向（すなわち、互いに離間する方向）に移動することを制限する。第１重複部３６は、軸部５と第１係止部３５との間にて、第１柄部３１のうち第２アーム４と左右方向に対向する側面に設けられる。第１重複部３６は、好ましくは、前後方向において第１係止部３５と軸部５との間の中央よりも前側（すなわち、当該中央よりも軸部５に近い位置）に位置する。図１に示す例では、第１重複部３６は、第１柄部３１の側面から第２柄部４１に向かって左右方向に突出する。第１重複部３６は、例えば、前後方向および左右方向に延びる１枚の略平板状の部位である。
【００２６】
第２アーム４は、第２柄部４１と、第２指孔部４２と、第２挟持部４３と、第２先端部４４と、第２係止部４５と、第２重複部４６とを備える。第２柄部４１、第２指孔部４２、第２挟持部４３、第２先端部４４、第２係止部４５および第２重複部４６は、好ましくは一繋がりの部材である。
【００２７】
第２柄部４１は、軸部５から後方に延びる略棒状の部位である。第２指孔部４２は、第２柄部４１の後端に接続される環状の部位である。第２指孔部４２には、医療者の指が上側から挿入される挿入孔４２１が設けられる。第２挟持部４３は、軸部５から前方に延びる略棒状の部位である。第２先端部４４は、第２挟持部４３の前端に接続される部位である。第２先端部４４は、第１先端部３４と同様に、略楕円環状の部位である。第２先端部４４は、第１先端部３４と共に、消毒用の綿球等に直接的に接触して挟持する。図１に示す例では、第２柄部４１は第１柄部３１の右側に位置し、第２挟持部４３は第１挟持部３３の左側に位置するが、左右反対であってもよい。
【００２８】
第２係止部４５は、第２柄部４１の側面から第１アーム３の第１柄部３１に向かって左右方向に突出する。第２係止部４５は、第１係止部３５と係合することにより、第１アーム３および第２アーム４が開く方向に移動することを制限する。第２重複部４６は、軸部５と第２係止部４５との間にて、第２柄部４１のうち第１アーム３と左右方向に対向する側面に設けられる。第２重複部４６は、好ましくは、前後方向において第２係止部４５と軸部５との間の中央よりも前側（すなわち、当該中央よりも軸部５に近い位置）に位置する。図１に示す例では、第２重複部４６は、第２柄部４１の側面から第１アーム３の第１柄部３１に向かって左右方向に突出する。第２重複部４６は、例えば、それぞれが前後方向および左右方向に延びる２枚の略平板状の板部４６１を備える。当該２枚の板部４６１は、第１重複部３６よりも上側および下側に位置し、互いに離間しつつ上下方向に重なる。
【００２９】
図２に示すように、第２指孔部４２の挿入孔４２１の前端部４２２は、前方に向かうに従って下方へと向かう傾斜面を有する。また、第２指孔部４２の後端部４２３は、第２指孔部４２のうち後端部４２３の周囲の部位よりも上下方向に厚く、下方に突出している。第２指孔部４２の後端部４２３の下面は、下方に凸である滑らかな曲面である。第１指孔部３２の形状は、第２指孔部４２の形状と略同じである。すなわち、第１指孔部３２の挿入孔３２１の前端部３２２は、前方に向かうに従って下方へと向かう傾斜面を有する。また、第１指孔部３２の後端部３２３は、第１指孔部３２のうち後端部３２３の周囲の部位よりも上下方向に厚く、下方に突出している。第１指孔部３２の後端部３２３の下面は、下方に凸である滑らかな曲面である。
【００３０】
第１係止部３５は、第１凹凸部３５１と、第１押さえ部３５３とを備える。第１凹凸部３５１および第１押さえ部３５３の上下方向の高さは、例えば、第１柄部３１の上下方向の高さと略同じ、または、当該高さよりも少し高い。第１凹凸部３５１は、第１柄部３１の側面から第２柄部４１に向かって左右方向に突出する略板状の部位である。第１凹凸部３５１の前側の面には、左右方向に並ぶ複数の凹凸３５２が設けられている。第１凹凸部３５１は、左右方向の中央が後方に（すなわち、第１指孔部３２側に向かって）凸となるように湾曲している。複数の凹凸３５２の上下方向に垂直な断面形状は、上下方向の各位置において略同じである。
【００３１】
第１凹凸部３５１の複数の凹凸３５２は、複数の第１表鋸面３５５と複数の第１裏鋸面３５６とが略左右方向に交互に配列された鋸歯状である。各第１表鋸面３５５は、前方に向かうに従って、左右方向において第２柄部４１から離れる方向に延びる。各第１裏鋸面３５６は、左右方向において隣接する第１表鋸面３５５の前端から後方に向かって延びる。図５に示す例では、各第１裏鋸面３５６は、前方に向かうに従って、左右方向において第２柄部４１から離れる方向に延びる。換言すれば、各第１表鋸面３５５および各第１裏鋸面３５６は、前方に向かうに従って、左右方向において第１柄部３１に近づく方向に延びる。第１柄部３１が延びる方向を「第１長手方向」と呼ぶと、各第１表鋸面３５５および各第１裏鋸面３５６は、第１長手方向に対して同じ側（図５中の上側）に傾斜している。各第１表鋸面３５５が第１長手方向と成す角度は、各第１裏鋸面３５６が第１長手方向と成す角度よりも大きい。なお、第１凹凸部３５１における凹凸３５２の数は適宜変更されてよい。
【００３２】
第１押さえ部３５３は、第１凹凸部３５１および後述する第２凹凸部４５１よりも前側にて、第１柄部３１から第２柄部４１に向かって左右方向に突出する略板状の部位である。第１押さえ部３５３の自由端部３５４（すなわち、第２柄部４１に近い側の端部）は、前後方向において第１凹凸部３５１から離れるように、前方へと湾曲している。したがって、第１凹凸部３５１と第１押さえ部３５３との間の第１長手方向における距離は、第１押さえ部３５３の自由端部３５４側において大きくなっている。
【００３３】
第２係止部４５は、第２凹凸部４５１と、第２押さえ部４５３とを備える。第２凹凸部４５１および第２押さえ部４５３の上下方向の高さは、例えば、第２柄部４１の上下方向の高さと略同じ、または、当該高さよりも少し高い。第２凹凸部４５１は、第１凹凸部３５１よりも前側にて第２柄部４１の側面から第１柄部３１に向かって左右方向に突出する略板状の部位である。第２凹凸部４５１の後側の面には、左右方向に並ぶ複数の凹凸４５２が設けられている。第２凹凸部４５１は、左右方向の中央が後方に（すなわち、第２指孔部４２側に向かって）凸となるように湾曲している。複数の凹凸４５２の上下方向に垂直な断面形状は、上下方向の各位置において略同じである。
【００３４】
第２凹凸部４５１の複数の凹凸４５２は、複数の第２表鋸面４５５と複数の第２裏鋸面４５６とが略左右方向に交互に配列された鋸歯状である。各第２表鋸面４５５は、後方に向かうに従って、左右方向において第１柄部３１から離れる方向に延びる。各第２裏鋸面４５６は、左右方向において隣接する第２表鋸面４５５の後端から前方に向かって延びる。図５に示す例では、各第２裏鋸面４５６は、後方に向かうに従って、左右方向において第１柄部３１から離れる方向に延びる。換言すれば、各第２表鋸面４５５および各第２裏鋸面４５６は、後方に向かうに従って、左右方向において第２柄部４１に近づく方向に延びる。第２柄部４１が延びる方向を「第２長手方向」と呼ぶと、各第２表鋸面４５５および各第２裏鋸面４５６は、第２長手方向に対して同じ側（図５中の下側）に傾斜している。各第２表鋸面４５５が第２長手方向と成す角度は、各第２裏鋸面４５６が第２長手方向と成す角度よりも大きい。なお、第２凹凸部４５１における凹凸４５２の数は適宜変更されてよい。
【００３５】
第２押さえ部４５３は、第１凹凸部３５１および第２凹凸部４５１よりも後側にて、第２柄部４１から第１柄部３１に向かって左右方向に突出する略板状の部位である。第２押さえ部４５３の自由端部４５４（すなわち、第１柄部３１に近い側の端部）は、前後方向において第２凹凸部４５１から離れるように、後方へと湾曲している。したがって、第２凹凸部４５１と第２押さえ部４５３との間の第２長手方向における距離は、第２押さえ部４５３の自由端部４５４側において大きくなっている。
【００３６】
医療者が右手で鉗子１を使用する場合、医療者の右手の親指および中指が、第１指孔部３２の挿入孔３２１および第２指孔部４２の挿入孔４２１に、それぞれ上側から挿入される。第１指孔部３２および第２指孔部４２に挿入された指は、手の平側へと曲げられて第１指孔部３２および第２指孔部４２を把持する。このとき、医療者の指の腹は、第１指孔部３２の後端部３２３の下面、および、第２指孔部４２の後端部４２３の下面に接触する。また、医療者の指の背は、第１指孔部３２の前端部３２２の下面、および、第２指孔部４２の前端部４２２の下面に接触する。
【００３７】
上述のように、第１指孔部３２の後端部３２３、および、第２指孔部４２の後端部４２３は、周囲の部位よりも上下方向に厚く、下方に突出している。このため、医療者が指を曲げた際に、第１指孔部３２および第２指孔部４２を把持し易い。また、第１指孔部３２の後端部３２３の下面、および、第２指孔部４２の後端部４２３の下面は、下方に凸である滑らかな曲面である。このため、医療者の指の腹が第１指孔部３２および第２指孔部４２により圧迫されることが抑制される。さらに、第１指孔部３２の挿入孔３２１の前端部３２２、および、第２指孔部４２の挿入孔４２１の前端部４２２は、前方に向かうに従って下方へと向かう傾斜面を有する。このため、医療者の指の背が、第１指孔部３２および第２指孔部４２の角部により圧迫されることが抑制される。これらの結果、鉗子１の使用感を向上することができる。
【００３８】
医療者は、第１指孔部３２および第２指孔部４２を把持すると、第１指孔部３２および第２指孔部４２を、図４に示す開状態から左右方向に互いに近づける。これにより、第１挟持部３３および第２挟持部４３が左右方向において近づき、第１先端部３４と第２先端部４４とにより、消毒用の綿球等が挟持される。
【００３９】
また、第１指孔部３２および第２指孔部４２が開状態から互いに近づけられると、第１柄部３１および第２柄部４１も左右方向において近づき、第１係止部３５の第１凹凸部３５１が、第２係止部４５の第２凹凸部４５１と第２押さえ部４５３との間に左側から挿入される。また、第２係止部４５の第２凹凸部４５１は、第１係止部３５の第１凹凸部３５１と第１押さえ部３５３との間に右側から挿入される。
【００４０】
そして、図３に示すように、第１凹凸部３５１の複数の凹凸３５２と、第２凹凸部４５１の複数の凹凸４５２とが左右方向に摺動して互いに噛み合う。換言すれば、第１凹凸部３５１の凸部が第２凹凸部４５１の凹部内に位置し、第２凹凸部４５１の凸部が第１凹凸部３５１の凹部内に位置する。これにより、第１凹凸部３５１と第２凹凸部４５１とが左右方向において離れる方向に移動することが制限され、第１柄部３１と第２柄部４１とが係止される。すなわち、第１凹凸部３５１および第２凹凸部４５１は、第１柄部３１と第２柄部４１との間の左右方向の距離を固定するラチェット構造を構成する。第１凹凸部３５１の第１表鋸面３５５は、第２凹凸部４５１の第２表鋸面４５５と左右方向に対向して接触または近接し、第１凹凸部３５１の第１裏鋸面３５６は、第２凹凸部４５１の第２裏鋸面４５６と左右方向に対向して接触または近接する。
【００４１】
第１凹凸部３５１が第２凹凸部４５１と第２押さえ部４５３との間に挿入される際には、第２押さえ部４５３の前側の面と、第１凹凸部３５１の後側の面（すなわち、複数の凹凸３５２が設けられる側とは反対側の面）とが左右方向に摺動し、第１凹凸部３５１が第２凹凸部４５１と第２押さえ部４５３との間に挟み込まれる。また、第２凹凸部４５１が第１凹凸部３５１と第１押さえ部３５３との間に挿入される際には、第１押さえ部３５３の後側の面と第２凹凸部４５１の前側の面（すなわち、複数の凹凸４５２が設けられる側とは反対側の面）とが左右方向に摺動し、第２凹凸部４５１が第１凹凸部３５１と第１押さえ部３５３との間に挟み込まれる。
【００４２】
鉗子１では、図４に示すように、第１係止部３５および第２係止部４５が左右方向に離れている開状態において、第１重複部３６および第２重複部４６も左右方向に離れている。また、第１係止部３５と第２係止部４５とが左右方向において近づくと、第１重複部３６と第２重複部４６とも左右方向において近づく。そして、図１に示すように、第１係止部３５および第２係止部４５により第１柄部３１と第２柄部４１とが係止された状態では、第１重複部３６と第２重複部４６とが上下方向に重なる。具体的には、略平板状の第１重複部３６が、第２重複部４６の２枚の板部４６１の間に左側から挿入され、当該２枚の板部４６１により上下から挟まれる。
【００４３】
医療者が鉗子１を利用して術野の消毒を行う際には、例えば、医療者の右手の人差し指が、第２重複部４６の上側の板部４６１上に置かれ、第１先端部３４および第２先端部４４の間に挟持された綿球等を術野に当接させ、術野に消毒液が塗布される。医療者は、第２重複部４６上に人差し指を置くことにより、第１先端部３４および第２先端部４４に力を加え易い。このため、医療者は、鉗子１を使った作業（すなわち、術野の消毒等）を容易に行うことができる。第２重複部４６の上側の板部４６１の上面には、医療者の人差し指の位置ずれを防止する滑り止め構造４６２が設けられる。図１に示す例では、滑り止め構造４６２は、前後方向に配列されるとともに、それぞれが略左右方向に延びる略直線状の複数の溝を備える。滑り止め構造４６２の形状、大きさおよび構造等は、様々に変更されてよい。
【００４４】
医療者が、図１に示す閉状態から鉗子１を開く際には、親指および中指が挿入されている第１指孔部３２および第２指孔部４２を、互いに対して上下方向に相対的に移動させる。具体的には、親指が挿入されている第１指孔部３２を下方へと押し下げ、中指が挿入されている第２指孔部４２を上方へと持ち上げる。これにより、第１柄部３１および第２柄部４１を撓ませつつ、第１係止部３５が第２係止部４５に対して下方へと相対的に摺動する。そして、第１係止部３５が第２係止部４５から下方に離間することにより、第１係止部３５および第２係止部４５による第１柄部３１と第２柄部４１との係止が解除される。その後、第１指孔部３２および第２指孔部４２が左右方向に離されることにより、第１先端部３４と第２先端部４４とが左右方向に離れ、消毒用の綿球等の挟持が解除される。
【００４５】
一方、医療者が左手で鉗子１を使用する場合、医療者の左手の親指および中指が、右手で使用する場合とは逆に、第２指孔部４２の挿入孔４２１および第１指孔部３２の挿入孔３２１に、それぞれ上側から挿入され、第２指孔部４２および第１指孔部３２が把持される。続いて、右手で使用する場合と同様に、第１指孔部３２および第２指孔部４２が左右方向に互いに近づけられ、第１先端部３４と第２先端部４４とにより消毒用の綿球等が挟持される。このとき、上記と同様に、第１係止部３５および第２係止部４５により、第１柄部３１と第２柄部４１とが係止される。また、第１重複部３６と第２重複部４６とは、上下方向に重なる。
【００４６】
医療者が、左手に持った鉗子１を開く際には、親指および中指が挿入されている第２指孔部４２および第１指孔部３２を、互いに対して上下方向に相対的に移動させる。具体的には、親指が挿入されている第２指孔部４２を下方へと押し下げ、中指が挿入されている第１指孔部３２を上方へと持ち上げる。これにより、第１柄部３１および第２柄部４１を撓ませつつ、第１係止部３５が第２係止部４５に対して上方へと相対的に摺動する。そして、第１係止部３５が第２係止部４５から上方に離間することにより、第１係止部３５および第２係止部４５による第１柄部３１と第２柄部４１との係止が解除される。その後、第１指孔部３２および第２指孔部４２が左右方向に離されることにより、第１先端部３４と第２先端部４４とが左右方向に離れ、消毒用の綿球等の挟持が解除される。
【００４７】
以上に説明したように、鉗子１は、第１アーム３と、第２アーム４と、軸部５とを備える。第２アーム４は、第１アーム３と交差する。軸部５は、第１アーム３と第２アーム４との交差位置にて、第１アーム３と第２アーム４とを回転自在に連結する。第１アーム３は、第１柄部３１と、第１指孔部３２と、第１挟持部３３と、第１係止部３５とを備える。第１柄部３１は、軸部５から後方に延びる。第１指孔部３２は、第１柄部３１の後端に接続される。第１挟持部３３は、軸部５から前方に延びる。第１係止部３５は、第１柄部３１から第２アーム４に向かって左右方向に突出する。第２アーム４は、第２柄部４１と、第２指孔部４２と、第２挟持部４３と、第２係止部４５とを備える。第２柄部４１は、軸部５から後方に延びる。第２指孔部４２は、第２柄部４１の後端に接続される。第２挟持部４３は、軸部５から前方に延びる。第２係止部４５は、第２柄部４１から第１アーム３に向かって左右方向に突出する。
【００４８】
上述のように、第１係止部３５は、第１柄部３１から第２柄部４１に向かって左右方向に突出する第１凹凸部３５１を備える。第１凹凸部３５１の前側の面には、左右方向に並ぶ凹凸３５２が設けられる。第２係止部４５は、第１凹凸部３５１よりも前側にて第２柄部４１から第１柄部３１に向かって左右方向に突出する第２凹凸部４５１を備える。第２凹凸部４５１の後側の面には、左右方向に並ぶ凹凸４５２が設けられる。
【００４９】
上記構造を有する鉗子１では、第１柄部３１と第２柄部４１とが左右方向において近づく際に、第１凹凸部３５１の凹凸３５２と第２凹凸部４５１の凹凸４５２とが左右方向に摺動して噛み合うことにより、第１柄部３１と第２柄部４１とが係止される。これにより、鉗子１の第１先端部３４および第２先端部４４を、所望の間隔にて閉じた状態で容易に固定することができる。なお、鉗子１の長手方向の長さが比較的長い場合には、鉗子１の使用中に第１柄部３１および第２柄部４１が上下方向に撓む可能性がある。鉗子１では、第１凹凸部３５１と第２凹凸部４５１とが前後に重なって噛み合っているため、２つの凹凸部が上下に重なる構造に比べて、第１柄部３１および第２柄部４１の撓みにより第１凹凸部３５１と第２凹凸部４５１とが意図に反して離間することを抑制することができる。
【００５０】
また、上記構造を有する鉗子１では、第１係止部３５を第２係止部４５に対して上下方向のいずれか一方側に相対的に摺動させて離間させることにより、第１柄部３１と第２柄部４１との係止が解除される。このように、鉗子１では、第１柄部３１と第２柄部４１との係止を解除する際に、第１係止部３５の第２係止部４５に対する相対移動方向が上下のいずれであってもよいため、医療者が鉗子１を右手で使用する場合であっても、左手で使用する場合であっても、鉗子１の係止解除を容易に行うことができる。したがって、右利き用の鉗子と左利き用の鉗子とを別々に準備することなく、１種類の鉗子１で、右利きおよび左利きの医療者の双方に対応することができる。
【００５１】
上述のように、第１凹凸部３５１の前側の面には、左右方向に並ぶ複数の凹凸３５２が設けられ、第２凹凸部４５１の後側の面には、左右方向に並ぶ複数の凹凸４５２が設けられることが好ましい。これにより、鉗子１により挟持される綿球等の大きさに合わせて、第１先端部３４と第２先端部４４との間の距離を変更し、所望の距離にて固定することができる。換言すれば、第１アーム３と第２アーム４との開き具合を変更し、所望の開き具合にて固定することができる。
【００５２】
鉗子１では、好ましくは、第１凹凸部３５１の複数の凹凸３５２は、複数の第１表鋸面３５５と複数の第１裏鋸面３５６とが左右方向に交互に配列された鋸歯状である。各第１表鋸面３５５は、前方に向かうに従って左右方向において第２柄部４１から離れる方向に延びる。各第１裏鋸面３５６は、隣接する第１表鋸面３５５の前端から後方に向かって延びる。各第１表鋸面３５５が第１柄部３１の延びる方向である第１長手方向と成す角度は、各第１裏鋸面３５６が第１長手方向と成す角度よりも大きい。また、第２凹凸部４５１の複数の凹凸４５２は、複数の第２表鋸面４５５と複数の第２裏鋸面４５６とが左右方向に交互に配列された鋸歯状である。各第２表鋸面４５５は、後方に向かうに従って左右方向において第１柄部３１から離れる方向に延びる。各第２裏鋸面４５６は、隣接する第２表鋸面４５５の後端から前方に向かって延びる。各第２表鋸面４５５が第２柄部４１の延びる方向である第２長手方向と成す角度は、各第２裏鋸面４５６が第２長手方向と成す角度よりも大きい。
【００５３】
このように、鉗子１では、第１凹凸部３５１および第２凹凸部４５１を、いわゆるラチェット構造とすることにより、第１柄部３１と第２柄部４１とが離れる方向（すなわち、左右に開く方向）に第１凹凸部３５１および第２凹凸部４５１が摺動することを抑制することができる。その結果、第１柄部３１と第２柄部４１とが意図に反して左右に開くこと（すなわち、第１先端部３４および第２先端部４４による挟持対象物の意図に反した挟持解除）を抑制することができる。
【００５４】
上述のように、各第１表鋸面３５５および各第１裏鋸面３５６は、第１長手方向に対して同じ側に傾斜していることが好ましい。また、各第２表鋸面４５５および各第２裏鋸面４５６は、第２長手方向に対して同じ側に傾斜していることが好ましい。これにより、第１柄部３１と第２柄部４１とが離れる方向に第１凹凸部３５１および第２凹凸部４５１が摺動することを、さらに抑制することができる。
【００５５】
上述のように、第１凹凸部３５１および第２凹凸部４５１は、後方に凸となるように湾曲していることが好ましい。これにより、第１凹凸部３５１および第２凹凸部４５１を、軸部５を中心とする周方向に沿わせることができ、第１凹凸部３５１と第２凹凸部４５１とが噛み合う際の摺動抵抗を低減することができる。その結果、医療者による第１柄部３１と第２柄部４１との係止動作を容易とすることができる。
【００５６】
鉗子１では、好ましくは、第１係止部３５は、第１凹凸部３５１および第２凹凸部４５１よりも前側にて第１柄部３１から第２柄部４１に向かって左右方向に突出する第１押さえ部３５３をさらに備える。第２係止部４５は、第１凹凸部３５１および第２凹凸部４５１よりも後側にて第２柄部４１から第１柄部３１に向かって左右方向に突出する第２押さえ部４５３をさらに備える。第１柄部３１と第２柄部４１とが左右方向において近づく際には、第１押さえ部３５３の後側の面と第２凹凸部４５１の前側の面とが左右方向に摺動して、第２凹凸部４５１が、第１凹凸部３５１と第１押さえ部３５３との間に挟み込まれる。また、第２押さえ部４５３の前側の面と第１凹凸部３５１の後側の面とが左右方向に摺動して、第１凹凸部３５１が、第２凹凸部４５１と第２押さえ部４５３との間に挟み込まれる。
【００５７】
これにより、第１柄部３１と第２柄部４１とが離れる方向（すなわち、左右に開く方向）に第１凹凸部３５１および第２凹凸部４５１が摺動することを抑制することができる。その結果、第１柄部３１と第２柄部４１とが意図に反して左右に開くこと（すなわち、第１先端部３４および第２先端部４４による挟持対象物の意図に反した挟持解除）を抑制することができる。
【００５８】
上述のように、第１押さえ部３５３の自由端部３５４は、前方へと湾曲していることが好ましい。これにより、第１凹凸部３５１と第２凹凸部４５１とが噛み合う際に、第２凹凸部４５１が、第１凹凸部３５１と第１押さえ部３５３との間に進入し易くなる。また、第２押さえ部４５３の自由端部４５４は、後方へと湾曲している。これにより、第１凹凸部３５１と第２凹凸部４５１とが噛み合う際に、第１凹凸部３５１が、第２凹凸部４５１と第２押さえ部４５３との間に進入し易くなる。その結果、医療者による第１柄部３１と第２柄部４１との係止動作を容易とすることができる。
【００５９】
鉗子１では、好ましくは、第１アーム３は、軸部５と第１係止部３５との間にて第１柄部３１に設けられる第１重複部３６をさらに備える。また、第２アーム４は、軸部５と第２係止部４５との間にて第２柄部４１に設けられる第２重複部４６をさらに備える。第１柄部３１と第２柄部４１とが係止された状態では、第１重複部３６と第２重複部４６とが上下方向に重なる。
【００６０】
これにより、第１柄部３１と第２柄部４１との意図しない捻れ等の変形を抑制することができる。その結果、第１凹凸部３５１と第２凹凸部４５１とが意図に反して上下方向に摺動して離間し、第１柄部３１と第２柄部４１とが意図に反して左右に開くことを抑制することができる。
【００６１】
上述のように、第１重複部３６は、第１係止部３５と軸部５との中央よりも前側に位置し、第２重複部４６は、第２係止部４５と軸部５との中央よりも前側に位置することがさらに好ましい。これにより、第１柄部３１と第２柄部４１との意図しない捻れ等の変形をさらに抑制することができる。その結果、第１柄部３１と第２柄部４１とが意図に反して左右に開くことを、より一層抑制することができる。
【００６２】
鉗子１では、好ましくは、第１重複部３６は、第１柄部３１から第２柄部４１に向かって左右方向に突出しており、第２重複部４６は、第２柄部４１から第１柄部３１に向かって左右方向に突出している。また、第１柄部３１と第２柄部４１とが係止された状態では、第１重複部３６が、第２重複部４６により上下から挟まれている。これにより、第１柄部３１と第２柄部４１との意図しない捻れ等の変形を、より一層抑制することができる。
【００６３】
鉗子１では、上記構造とは異なり、第１重複部３６が上下方向に重なる２枚の略平板状の板部を備え、第２重複部４６が、当該２枚の板部により上下から挟まれる１枚の略平板状の部位であってもよい。すなわち、鉗子１では、第１柄部３１と第２柄部４１とが係止された状態で、第１重複部３６および第２重複部４６のうち一方が、他方により上下から挟まれていることが好ましい。これにより、上述のように、第１柄部３１と第２柄部４１との意図しない捻れ等の変形を、より一層抑制することができる。
【００６４】
上述のように、第１アーム３および第２アーム４は樹脂製であることが好ましい。これにより、第１柄部３１および第２柄部４１を容易に撓ませることができるため、鉗子１の係止解除をさらに容易に行うことができる。
【００６５】
上述の鉗子１では、様々な変更が可能である。
【００６６】
例えば、第１凹凸部３５１は、必ずしも後方に凸となるように湾曲している必要はなく、例えば、第１柄部３１に対して略垂直に略直線状に延びていてもよい。第２凹凸部４５１も、必ずしも後方に凸となるように湾曲している必要はなく、例えば、第２柄部４１に対して略垂直に略直線状に延びていてもよい。
【００６７】
第１係止部３５では、第１凹凸部３５１における複数の凹凸３５２の形状、数および大きさ等は、適宜変更されてよい。第２係止部４５においても同様に、第２凹凸部４５１の複数の凹凸４５２の形状、数および大きさ等は、適宜変更されてよい。例えば、複数の凹凸３５２および複数の凹凸４５２の平面視における形状は、鋸歯状ではなく、略正弦曲線状であってもよい。第１凹凸部３５１の前側の面には、必ずしも複数の凹凸３５２が設けられる必要はなく、少なくとも１組の凹凸が設けられていればよい。当該１組の凹凸では、周囲の部位よりも突出した部位が凸部と捉えられ、当該凸部の周囲の部位が凹部と捉えられる。あるいは、当該１組の凹凸では、周囲の部位よりも凹んでいる部位が凹部と捉えられ、当該凹部の周囲の部位が凸部と捉えられる。第２凹凸部４５１についても同様であり、第２凹凸部４５１の後側の面には、少なくとも１組の凹凸が設けられていればよい。
【００６８】
第１係止部３５および第２係止部４５では、第１押さえ部３５３の自由端部３５４、および、第２押さえ部４５３の自由端部４５４は、必ずしも湾曲している必要はなく、略直線状に延びていてもよい。また、第１係止部３５および第２係止部４５では、第１押さえ部３５３および第２押さえ部４５３が省略されてもよい。
【００６９】
第１重複部３６および第２重複部４６の構造は、既述のものには限定されず、様々に変更されてよい。例えば、第１重複部３６および第２重複部４６がそれぞれ、上下方向に重なる複数の板部を備え、第１柄部３１と第２柄部４１とが係止された状態で、第１重複部３６の複数の板部と、第２重複部４６の複数の板部とが、上下方向に交互に重なってもよい。このように、第１重複部３６が第２重複部４６により上下から挟まれ、第２重複部４６が第１重複部３６により上下方向から挟まれることによっても、第１柄部３１と第２柄部４１との意図しない捻れ等の変形を抑制することができる。
【００７０】
また、第１重複部３６および第２重複部４６はそれぞれ、１枚の略平板状の板部であってもよい。あるいは、第１重複部３６は、第１柄部３１の側面から第２柄部４１に向かって突出する凸部であり、第２重複部４６は、第２柄部４１の側面に設けられた凹部であってもよい。この場合、第１柄部３１と第２柄部４１とが係止された状態で、第１重複部３６である凸部が、第２重複部４６である凹部に挿入されて上下方向に重なる。いずれの場合であっても、第１柄部３１と第２柄部４１との意図しない捻れ等の変形を抑制することができる。
【００７１】
鉗子１では、第１重複部３６および第２重複部４６は省略されてもよい。あるいは、第１重複部３６および第２重複部４６の一方の板部のみが、医療者の人差し指を置く指置き部として設けられてもよい。
【００７２】
鉗子１では、第１先端部３４および第２先端部４４の形状は、第１先端部３４と第２先端部４４とにより挟持される挟持対象物の大きさ、形状、種類等に合わせて様々に変更されてよい。
【００７３】
鉗子１の構造は、消毒以外の目的で使用される鉗子（例えば、組織の止血や組織把持に使用される鉗子）に適用されてもよい。鉗子１の各部の形状や大きさは、鉗子１の用途に合わせて適宜変更されてよい。また、第１アーム３および第２アーム４は、樹脂以外の材料により形成されてもよい。
【００７４】
上記実施の形態および各変形例における構成は、相互に矛盾しない限り適宜組み合わされてよい。
【符号の説明】
【００７５】
１    鉗子
３    第１アーム
４    第２アーム
５    軸部
６    使い捨て医療用品セット
３１    第１柄部
３２    第１指孔部
３３    第１挟持部
３５    第１係止部
３６    第１重複部
４１    第２柄部
４２    第２指孔部
４３    第２挟持部
４５    第２係止部
４６    第２重複部
３５１    第１凹凸部
３５２    （第１凹凸部の）凹凸
３５３    第１押さえ部
３５４    （第１押さえ部の）自由端部
３５５    第１表鋸面
３５６    第１裏鋸面
４５１    第２凹凸部
４５２    （第２凹凸部の）凹凸
４５３    第２押さえ部
４５４    （第２押さえ部の）自由端部
４５５    第２表鋸面
４５６    第２裏鋸面
【図１】
2020092880.tif 000003
【図２】
2020092880.tif 000004
【図３】
2020092880.tif 000005
【図４】
2020092880.tif 000006
【図５】
2020092880.tif 000007
【図６】
2020092880.tif 000008